【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
設置時に水平方向に延びて熱交換器で生成される冷気または暖気の気流を吹き出す第１吹出口と、
前記第１吹出口から吹き出す前記気流に対して風向変更自在に室温空気を吹き出す第２吹出口と、
前記第１吹出口から吹き出す前記冷気または暖気の風速よりも大きい風速で前記第２吹出口から前記室温空気を吹き出させる制御回路と
を備えることを特徴とする空気調和機。
【請求項２】
請求項１に記載の空気調和機において、前記第２吹出口は前記第１吹出口よりも小さい面積で開口することを特徴とする空気調和機。
【請求項３】
請求項１または２に記載の空気調和機において、前記制御回路は、暖房運転時に前記暖気の気流の上方空間に向かって前記第２吹出口から前記室温空気を吹き出させることを特徴とする空気調和機。
【請求項４】
請求項１〜３のいずれか１項に記載の空気調和機において、前記制御回路は、前記暖房運転時に前記暖気の風速を変化させるときその風速の変化に追従して前記室温空気の風速を変化させ、前記暖気の風速よりも大きい風速に前記室温空気の風速を維持することを特徴とする空気調和機。
【請求項５】
空気調和機用の制御回路であって、
前記制御回路は、
第１送風ファンを制御し、設置時に水平方向に延びる第１吹出口から、熱交換器で生成される冷気または暖気の気流を第１風速で吹き出させる第１送風ファン制御部と、
第２送風ファンを制御し、前記第１吹出口から吹き出す前記気流に対して風向変更自在に第２吹出口から前記第１風速よりも大きい第２風速で室温空気の気流を吹き出させる第２送風ファン制御部と
を備えることを特徴とする空気調和機用の制御回路。
【手続補正２】
【補正対象書類名】明細書
【補正対象項目名】０００６
【補正方法】変更
【補正の内容】
【０００６】
本発明の一形態は、設置時に水平方向に延びて熱交換器で生成される冷気または暖気の気流を吹き出す第１吹出口と、前記第１吹出口から吹き出す前記気流に対して風向変更自在に室温空気を吹き出す第２吹出口と、前記第１吹出口から吹き出す前記冷気または暖気の風速よりも大きい風速で前記第２吹出口から前記室温空気を吹き出させる制御回路とを備える空気調和機に関する。
【手続補正３】
【補正対象書類名】明細書
【補正対象項目名】０００７
【補正方法】変更
【補正の内容】
【０００７】
第１吹出口から冷気または暖気の気流は吹き出される。第２吹出口から吹き出される気流は冷気または暖気の気流に衝突して冷気または暖気の気流の向きや動きを制御することができる。室内で望まれる場所に冷気または暖気を送り込むことができる。こうして室内の温度環境を効率的に整えることができる。ここでは、室温空気の風速は冷気または暖気の風速よりも大きいことから、室温空気の気流を冷気または暖気の気流に影響するように吹き出した場合、冷気または暖気の気流を制御することができる。冷気を遠方に送ったり、暖気が床面に留まるようにすることができる。第２吹出口からの風速が第１吹出口からの風速よりも大きいほど、効果的である。
【手続補正４】
【補正対象書類名】明細書
【補正対象項目名】０００９
【補正方法】変更
【補正の内容】
【０００９】
前記制御回路は、暖房運転時に前記暖気の気流の上方空間に向かって前記第２吹出口から前記室温空気を吹き出させることができる。第２吹出口から吹き出される室温空気の気流は上昇する暖気を上方から押さえ込むことができる。暖気は床面の近傍に留められることができる。こうして在室者は良好に暖を感じることができる。仮に第２吹出口からの風速が第１吹出口からの風速よりも大きいと、室温空気が床面に沿って流れてしまい、在室者は良好に暖を感じることができない。
【手続補正５】
【補正対象書類名】明細書
【補正対象項目名】００１０
【補正方法】変更
【補正の内容】
【００１０】
前記制御回路は、前記暖房運転時に前記暖気の風速を変化させるときその風速の変化に追従して前記室温空気の風速を変化させ、前記暖気の風速よりも大きい風速に前記室温空気の風速を維持することができる。こうして暖気の風速が変化しても、確実に暖気は床面の近傍に留められることができる。在室者は、体感温度の変化に応じて暖気の風速を調整することができ、その結果、良好に暖を感じることができる。
【手続補正６】
【補正対象書類名】明細書
【補正対象項目名】００１１
【補正方法】変更
【補正の内容】
【００１１】
本発明の他の形態は、空気調和機用の制御回路であって、前記制御回路は、第１送風ファンを制御し、設置時に水平方向に延びる第１吹出口から、熱交換器で生成される冷気または暖気の気流を第１風速で吹き出させる第１送風ファン制御部と、第２送風ファンを制御し、前記第１吹出口から吹き出す前記気流に対して風向変更自在に第２吹出口から前記第１風速よりも大きい第２風速で室温空気の気流を吹き出させる第２送風ファン制御部とを備える空気調和機用の制御回路に関する。
【手続補正７】
【補正対象書類名】明細書
【補正対象項目名】００１２
【補正方法】変更
【補正の内容】
【００１２】
第１吹出口から冷気または暖気の気流は吹き出される。第２吹出口から吹き出される気流は冷気または暖気の気流に衝突して冷気または暖気の気流の向きや動きを制御することができる。室内で望まれる場所に冷気または暖気を送り込むことができる。こうして室内の温度環境を効率的に整えることができる。ここでは、室温空気の風速は冷気または暖気の風速よりも大きいことから、室温空気の気流が冷気または暖気の気流に衝突しても、冷気または暖気の散逸は回避されることができる。冷気または暖気の塊は維持されることができる。
【手続補正８】
【補正対象書類名】明細書
【補正対象項目名】００１３
【補正方法】変更
【補正の内容】
【００１３】
その他、本発明の他の形態は、設置時に水平方向に延びる第１吹出口から、熱交換器で生成される冷気または暖気の気流を第１風速で吹き出させる第１送風ファンを駆動する第１駆動信号を出力する手順と、前記第１吹出口から吹き出す前記気流に対して風向変更自在に第２吹出口から前記第１風速よりも大きい第２風速で室内空気の気流を吹き出させる第２送風ファンを駆動する第２駆動信号を出力する手順とを演算処理回路に実行させる空気調和機用の制御プログラムに関する。
【手続補正９】
【補正対象書類名】明細書
【補正対象項目名】００１７
【補正方法】変更
【補正の内容】
【００１７】
図１は本発明の一実施形態に係る空気調和機１１の構成を概略的に示す。空気調和機１１は室内機１２および室外機１３を備える。室内機１２は例えば建物内の室内空間に設置される。その他、室内機１２は室内空間に相当する環境空間に設置されればよい。室内機１２には室内熱交換器１４が組み込まれる。室外機１３には圧縮機１５、室外熱交換器１６、膨張弁１７および四方弁１８が組み込まれる。室内熱交換器１４、圧縮機１５、室外熱交換器１６、膨張弁１７および四方弁１８は冷凍回路１９を形成する。
【手続補正１０】
【補正対象書類名】明細書
【補正対象項目名】００２３
【補正方法】変更
【補正の内容】
【００２３】
冷凍回路１９で暖房運転が実施される場合には、四方弁１８は第２口１８ｂおよび第４口１８ｄを相互に接続し第１口１８ａおよび第３口１８ｃを相互に接続する。圧縮機１５から高温高圧の冷媒が室内熱交換器１４に供給される。冷媒は室内熱交換器１４、膨張弁１７および室外熱交換器１６を順番に流通する。室内熱交換器１４では冷媒から周囲の空気に放熱する。暖気が生成される。暖気は第１送風ファン２７の働きで室内空間に流される。膨張弁１７で冷媒は低圧まで減圧される。減圧された冷媒は室外熱交換器１６で周囲の空気から吸熱する。その後、冷媒は圧縮機１５に戻る。
【手続補正１１】
【補正対象書類名】明細書
【補正対象項目名】００４０
【補正方法】変更
【補正の内容】
【００４０】
第１サイドパネル６４ａおよび第２サイドパネル６４ｂの構造体２８への取り付けにあたってねじ６６が用いられる。ねじ６６は第１サイドパネル６４ａおよび第２サイドパネル６４ｂを貫通して主筐体６３ａにねじ込まれる。ねじ６６のねじ込みにあたってねじ６６の軸心は仮想平面６７に直交する。仮想平面６７は構造体２８の正面を向く。ここでは、仮想平面６７は、水平軸線５１に平行で、かつ、室内機１２の設置時に室内の壁面に対して平行であって、第１サイドパネル６４ａおよび第２サイドパネル６４ｂの前面側に位置する。主筐体６３ａはねじ用のボス６８を有している。ボス６８にねじ孔が形成される。ねじ孔は仮想平面６７に向き合う。第１サイドパネル６４ａおよび第２サイドパネル６４ｂにはねじ挿入片６９が取り付けられる。ねじ挿入片６９はボス６８の一面に重ねられる。ねじ６６はねじ挿入片６９を貫通してボス６８にねじ込まれる。
【手続補正１２】
【補正対象書類名】明細書
【補正対象項目名】００６５
【補正方法】変更
【補正の内容】
【００６５】
次に空気調和機１１の動作を説明する。例えば冷房運転が設定されると、冷暖房確立部１０２は、冷房運転の動作を確立する制御信号を出力する。制御信号は圧縮機１５や膨張弁１７、四方弁１８に供給される。四方弁１８は第２口１８ｂおよび第３口１８ｃを相互に接続し第１口１８ａおよび第４口１８ｄを相互に接続する。圧縮機１５の動作に応じて冷媒が冷凍回路１９を循環する。その結果、室内熱交換器１４で冷気が生成される。冷気の温度は少なくとも室内空気の温度よりも低い。室温センサ１１４で検出される室温に応じて圧縮機１５の動作は制御される。その他、例えば人感センサ１１５で在室者の不存在が所定の期間にわたって検出されると、圧縮機１５は停止されてもよい。
【手続補正１３】
【補正対象書類名】明細書
【補正対象項目名】００６８
【補正方法】変更
【補正の内容】
【００６８】
ファンユニット制御ブロック１０７の第２送風ファン制御部１０８は、個々の遠心ファン７３を駆動する第２駆動信号を出力する。第２駆動信号は個々の第２送風ファン駆動源７５に個別に供給される。遠心ファン７３は回転する。ファンユニット２６ではファン筐体４９内の空間に第２吸込口５２から室内空気が吸い込まれる。室内空気の温度は室温に等しい。吸い込まれた室内空気はファンユニット２６の第２吹出口５６から吹き出す。このとき、ファンユニット２６では室内空気は室温に維持される。熱交換器に曝されない。ファンユニット制御ブロック１０７の筐体姿勢制御部１０９は水平軸線５１回りでファン筐体４９を駆動する第３駆動信号を出力する。第３駆動信号は個々のファンユニット２６ごとにファン筐体駆動源８６に供給される。例えば図１２に示されるように、ファン筐体４９の姿勢は水平姿勢から前下がりに変化することができる。ファン筐体４９は水平方向よりも下向きに第２吹出口５６からの気流１２２の吹き出しを誘導することができる。室内空気の気流１２２（以下「室温空気の気流１２２」という）は第２吹出口５６から下向きに吹き出す。
【手続補正１４】
【補正対象書類名】明細書
【補正対象項目名】００７０
【補正方法】変更
【補正の内容】
【００７０】
一般に、室内機１２は室内で比較的に高い位置に設置される。冷気の気流１２１が水平方向に誘導されれば、冷気は高い位置から床面に向かって下降していく。室内では徐々に冷気が蓄積されていく。室内全体の温度環境は冷気で整えられる。このとき、ファンユニット２６は在室者Ｍに直接に室温空気の気流１２２を向けることができる。ファンユニット２６は冷房運転時にいわゆる扇風機の代わりとして機能することができる。室温空気の気流１２２には冷気の混入は防止されることができ、その結果、在室者Ｍは、冷えすぎを感じることなく、心地よい涼感を得ることができる。在室者Ｍは、室内の温度低下に基づく涼感に加え、気流１２２により生じる気化熱に基づく涼感を得ることができる。
【手続補正１５】
【補正対象書類名】明細書
【補正対象項目名】００８１
【補正方法】変更
【補正の内容】
【００８１】
例えば暖房運転が設定されると、冷暖房確立部１０２は、暖房運転の動作を確立する制御信号を出力する。制御信号は圧縮機１５や膨張弁１７、四方弁１８に供給される。四方弁１８は第２口１８ｂおよび第４口１８ｄを相互に接続し第１口１８ａおよび第３口１８ｃを相互に接続する。圧縮機１５の動作に応じて冷媒が冷凍回路１９を循環する。その結果、室内熱交換器１４で暖気が生成される。暖気の温度は少なくとも室内空気の温度よりも高い。室温センサ１１４で検出される室温に応じて圧縮機１５の動作は制御される。例えば人感センサ１１５で在室者の不存在が所定の期間にわたって検出されると、圧縮機１５は停止されてもよい。